(57)【要約】【課題】一液で、アルデヒド類、アンモニア等の各種消臭にバランスよく消臭効果を有し、沈殿物が低減された消臭剤及びこの消臭剤を用いて消臭加工された繊維製品を提供すること。【解決手段】（ａ）重量平均分子量が５，０００〜１，０００，０００である、酸無水物単量体単位を含む重合体と、〔（ｂ）亜硫酸塩及び／又は重亜硫酸塩と、（ｃ）保水剤〕及び／又は〔（ｄ）光触媒と、（ｅ）無機多孔質体及び／又は無機層状物〕と、（ｆ）水と、を含有してなる。【選択図】    なし【特許請求の範囲】
【請求項１】
（ａ）重量平均分子量が５，０００〜１，０００，０００である、酸無水物単量体単位を含む重合体と、
〔（ｂ）亜硫酸塩及び／又は重亜硫酸塩と、（ｃ）保水剤〕
及び／又は
〔（ｄ）光触媒と、（ｅ）無機多孔質体及び／又は無機層状物〕
と、
（ｆ）水と、
を含有してなる消臭剤。
【請求項２】
成分（ａ）の配合量は０．０５〜５重量部であり、
成分（ｂ）の配合量は０．５〜５重量部であり、
成分（ｃ）の配合量は０．５〜５重量部であり、
成分（ｆ）の配合量は８５〜９８．９５重量部（ただし、成分（ａ）＋成分（ｂ）＋成分（ｃ）＋成分（ｆ）＝１００重量部）であることを特徴とする請求項１に記載の消臭剤。
【請求項３】
成分（ａ）の配合量は０．０５〜５重量部であり、
成分（ｄ）の配合量は０．０５〜５重量部であり、
成分（ｅ）の配合量は０．００１〜５重量部であり、
成分（ｆ）の配合量は８５〜９９．８９９重量部（ただし、成分（ａ）＋成分（ｄ）＋成分（ｅ）＋成分（ｆ）＝１００重量部）であることを特徴とする請求項１に記載の消臭剤。
【請求項４】
成分（ａ）、成分（ｂ）、成分（ｃ）、成分（ｄ）、成分（ｅ）及び成分（ｆ）を含有してなる、請求項１に記載の消臭剤。
【請求項５】
成分（ａ）の配合量は０．０５〜５重量部であり、
成分（ｂ）の配合量は０．５〜５重量部であり、
成分（ｃ）の配合量は０．５〜５重量部であり、
成分（ｄ）の配合量は０．０５〜５重量部であり、
成分（ｅ）の配合量は０．００１〜５重量部であり、
成分（ｆ）の配合量は７５〜９８．８９９重量部（ただし、成分（ａ）＋成分（ｂ）＋成分（ｃ）＋成分（ｄ）＋成分（ｅ）＋成分（ｆ）＝１００重量部）であることを特徴とする請求項４に記載の消臭剤。
【請求項６】
繊維に、請求項１〜５のいずれか一項に記載の消臭剤を含有させ、乾燥してなる繊維製品。
【発明の詳細な説明】
【技術分野】
【０００１】
本発明は、繊維加工に適した消臭剤、及びこの消臭剤を用いて加工してなる繊維製品に関する。特に、広範囲な悪臭に対して消臭効果に優れた消臭剤、及びこの消臭剤を用いて加工してなる繊維製品に関する。
【背景技術】
【０００２】
繊維用消臭剤で、かつ光触媒を使用するものが種々提案されている。例えば、特許文献１に開示された消臭剤では、光触媒と吸水性多孔質無機物とをアクリルシリコン系バインダーを用いて繊維に担持している。また、例えば、特許文献２に開示された消臭剤では、カーペットの表面に対して、ヒドラジン誘導体と光触媒とを塗布している。そして、バッキング表面には、活性炭とヒドラジン誘導体を塗布している。
【０００３】
【特許文献１】特開２００５−１９４６５２号公報
【特許文献２】特開２００５−１９８６８４号公報
【発明の開示】
【発明が解決しようとする課題】
【０００４】
一般に、アルデヒド消臭のためには、アミン化合物や亜硫酸ナトリウムのようなアルカリ性化合物が用いられる。これに対して、アンモニア消臭やトリメチルアミン消臭のためには、酸性化合物が用いられる。そして、アルカリ性化合物と酸性化合物とを一液で混合すると、各々反応してしまう。このため、一液で、かつ広範囲の種類の悪臭にわたってバランスの良い消臭性能を有する消臭剤を得ることは困難である。
【０００５】
また、吸水性多孔質無機物や活性炭は、沈殿しやすい。繊維製品に消臭剤を含有させる加工工程において、沈殿物が発生すると、再攪拌等が必要となる。そして、攪拌に起因する気泡が発生し、作業効率が低下してしまうという問題も生ずる。
【０００６】
本発明は、上記に鑑みてなされたものであって、一液で、アルデヒド類、トリメチルアミン、アンモニア等の各種悪臭にバランスよく消臭効果を有し、沈殿物を低減した消臭剤及びこの消臭剤を用いて消臭加工された繊維製品を提供することを目的とする。
【課題を解決するための手段】
【０００７】
上述した課題を解決し、目的を達成するために、本発明によれば、（ａ）重量平均分子量が５，０００〜１，０００，０００である、酸無水物単量体単位を含む重合体と、〔（ｂ）亜硫酸塩及び／又は重亜硫酸塩と、（ｃ）保水剤〕及び／又は〔（ｄ）光触媒と、（ｅ）無機多孔質体及び／又は無機層状物〕と、（ｆ）水と、を含有してなる消臭剤を提供できる。
【０００８】
また、本発明の好ましい態様によれば、
成分（ａ）の配合量は０．０５〜５重量部であり、
成分（ｂ）の配合量は０．５〜５重量部であり、
成分（ｃ）の配合量は０．５〜５重量部であり、
成分（ｆ）の配合量は８５〜９８．９５重量部（ただし、成分（ａ）＋成分（ｂ）＋成分（ｃ）＋成分（ｆ）＝１００重量部）であることが望ましい。
【０００９】
また、本発明の好ましい態様によれば、
成分（ａ）の配合量は０．０５〜５重量部であり、
成分（ｄ）の配合量は０．０５〜５重量部であり、
成分（ｅ）の配合量は０．００１〜５重量部であり、
成分（ｆ）の配合量は８５〜９９．８９９重量部（ただし、成分（ａ）＋成分（ｄ）＋成分（ｅ）＋成分（ｆ）＝１００重量部）であることが望ましい。
【００１０】
また、本発明の好ましい態様によれば、成分（ａ）、成分（ｂ）、成分（ｃ）、成分（ｄ）、成分（ｅ）及び成分（ｆ）を含有してなることが望ましい。
【００１１】
また、本発明の好ましい態様によれば、
成分（ａ）の配合量は０．０５〜５重量部であり、
成分（ｂ）の配合量は０．５〜５重量部であり、
成分（ｃ）の配合量は０．５〜５重量部であり、
成分（ｄ）の配合量は０．０５〜５重量部であり、
成分（ｅ）の配合量は０．００１〜５重量部であり、
成分（ｆ）の配合量は７５〜９８．８９９重量部（ただし、成分（ａ）＋成分（ｂ）＋成分（ｃ）＋成分（ｄ）＋成分（ｅ）＋成分（ｆ）＝１００重量部）であることが望ましい。
【００１２】
また、本発明によれば、繊維に、上述の消臭剤を含有させ、乾燥してなる繊維製品を提供できる。
【発明の効果】
【００１３】
本発明によれば、一液で、アルデヒド類、トリメチルアミン、アンモニア等の各種悪臭に対してバランス良く消臭効果を有し、沈殿物を低減した消臭剤及びこの消臭剤を用いて消臭加工された繊維製品を提供できるという効果を奏する。
【発明を実施するための最良の形態】
【００１４】
本発明に係る消臭剤は、（ａ）重量平均分子量が５，０００〜１，０００，０００である、酸無水物単量体単位を含む重合体と、
〔（ｂ）亜硫酸塩及び／又は重亜硫酸塩と、（ｃ）保水剤〕
及び／又は
〔（ｄ）光触媒と、（ｅ）無機多孔質体及び／又は無機層状物〕
と、
（ｆ）水と、を含有してなる消臭剤である。
【００１５】
次に、成分（ａ）の「酸無水物単量体単位を含む重合体」として、好適には「酸無水物単量体単位」と「他の単量体単位」とを含む共重合体を用いることができる。例えば、共重合体として、無水マレイン酸とスチレンとの共重合体、無水マレイン酸とメチルビニルエーテルとの共重合体等を挙げることができる。
【００１６】
酸無水物単量体単位を含む重合体の好適な例における、「酸無水物単量体単位」と「他の単量体単位」との量比については、「酸無水物単量体単位」：「他の単量体単位」がモル比で１：３〜１：１、重量比で１：３〜２：１が望ましい。共重合体の例としては、上述したように無水マレイン酸とスチレンとの共重合体、無水マレイン酸とメチルビニルエーテルとの共重合体が挙げられる。酸無水物単量体単位を含む重合体の重量平均分子量は５，０００〜１，０００，０００、好ましくは５，０００〜８００，０００のものが使用できる。
【００１７】
また、成分（ｂ）の亜硫酸塩及び／又は重亜硫酸塩としては、亜硫酸塩又は重亜硫酸塩を用いるか、両者を併用して用いる。亜硫酸塩としては、例えば、亜硫酸ナトリウム、亜硫酸カリウム、亜硫酸マグネシウムなどが挙げられる。また、重亜硫酸塩としては、例えば、重亜硫酸ナトリウム、重亜硫酸カリウム、重亜硫酸マグネシウムなどが挙げられる。
【００１８】
また、成分（ｃ）の保水剤として、グリセリン、トレハロース、ヒアルロン酸、セルロース類、寒天、高吸水性樹脂など保水性を示す化合物を使用できる。
【００１９】
本発明における成分（ｄ）である光触媒とは、例えば、紫外線や可視光などの光によって励起され、強い酸化力によって有機物を酸化分解するものである。この作用によって消臭機能を発揮する。光触媒としては、特に限定されないが、例えば、酸化チタン、酸化亜鉛等が挙げられる。その中でも、好ましくは酸化チタン、酸化亜鉛であり、さらに好ましくは酸化亜鉛である。またこれらは、不純物ドープなどにより可視光光触媒化処理したものであっても良い。光触媒を加えて、蛍光灯からの光を照射することで、さらにバランス良く悪臭を除去できることがわかる。
【００２０】
成分（ｅ）の無機多孔質体、無機層状物として、ハイドロタルサイト、ゼオライト、活性炭、シリカゲル、アルミナ、リン酸ジルコニウム、珪藻土、粘土などが使用できる。なお、無機多孔質体、無機層状物は、水に溶けない成分である。
【００２１】
また、本発明における好ましい組合せは、成分（ａ）：酸無水物単量体単位を含む重合体と、成分（ｂ）：亜硫酸塩及び／又は重亜硫酸塩と、成分（ｃ）：保水剤と、成分（ｆ）：水とを含有することが望ましい。
【００２２】
成分（ｂ）：亜硫酸塩及び／又は重亜硫酸塩は、水和した状態のほうが性能が向上する。このため、成分（ｂ）に保水剤を混合することにより、性能が向上する。
【００２３】
この組合せのとき、成分（ａ）の配合量は、成分（ａ）、成分（ｂ）、成分（ｃ）及び成分（ｆ）との合計量１００重量部に対して、好ましくは０．０５〜５重量部、より好ましくは０．５〜１重量部であることが望ましい。酸無水物単量体単位を含む重合体の割合が過大になると粘度が増加してしまう。このため、消臭剤をスプレーにより塗布することが困難になってしまう。
【００２４】
また、成分（ｂ）の配合量は、成分（ａ）、成分（ｂ）、成分（ｃ）及び成分（ｆ）との合計量１００重量部に対して、好ましくは０．５〜５重量部、より好ましくは１〜３重量部であることが望ましい。亜硫酸塩及び／又は重亜硫酸塩の割合が過多であると、アルデヒド消臭の性能が劣ってしまう。また、亜硫酸塩及び／又は重亜硫酸塩の割合が過少であると、アミンの消臭の性能が劣るおそれがある。
【００２５】
また、成分（ｃ）の配合量は、成分（ａ）、成分（ｂ）、成分（ｃ）及び成分（ｆ）との合計量１００重量部に対して、好ましくは０．５〜５重量部、より好ましくは０．７〜３重量部であることが望ましい。
【００２６】
さらに、成分（ｆ）の配合量は、成分（ａ）、成分（ｂ）、成分（ｃ）及び成分（ｆ）との合計量１００重量部に対して、好ましくは８５〜９８．９５重量部、より好ましくは９３〜９７．８重量部であることが望ましい。
【００２７】
また、本発明における他の好ましい組合せは、成分（ａ）：重量平均分子量が５，０００〜１，０００，０００である、酸無水物単量体単位を含む重合体と、成分（ｄ）：光触媒と、成分（ｅ）：無機多孔質体及び／又は無機層状物、及び成分（ｆ）：水とを含有することが望ましい。成分（ｄ）である光触媒は反応性が高い。このため、そのまま基材である繊維に接触すると繊維を劣化あるいは分解する可能性がある。そこで、成分（ｅ）である無機多孔質体及び／又は無機層状物を加えることで、光触媒を多孔質体の細孔内に吸着させたり、光触媒の周りを無機多孔質体で覆うことができる。このため、基材、例えばカーペットの細い繊維との接触を避けられる。このため、光触媒の性能を保ちつつ、基材であるカーペットの繊維の損傷を防止できる。   
【００２８】
この組合せのとき、成分（ａ）の配合量は、成分（ａ）、成分（ｄ）、成分（ｅ）及び成分（ｆ）との合計量１００重量部に対して、好ましくは０．０５〜５重量部、より好ましくは０．５〜１重量部であることが望ましい。酸無水物単量体単位を含む重合体の割合が過大になると粘度が増加してしまう。このため、消臭剤をスプレーにより塗布することが困難になってしまう。
【００２９】
また、成分（ｄ）の配合量は、成分（ａ）、成分（ｄ）、成分（ｅ）及び成分（ｆ）との合計量１００重量部に対して、好ましくは０．０５〜５重量部、より好ましくは０．５〜３重量部であることが望ましい。
【００３０】
また、成分（ｅ）の配合量は、成分（ａ）、成分（ｄ）、成分（ｅ）及び成分（ｆ）との合計量１００重量部に対して、好ましくは０．００１〜５重量部、より好ましくは０．００５〜１重量部であることが望ましい。
【００３１】
また、成分（ｆ）の配合量は、成分（ａ）、成分（ｄ）、成分（ｅ）及び成分（ｆ）との合計量１００重量部に対して、好ましくは８５〜９９．８９９重量部、より好ましくは９５〜９８．９９５重量部であることが望ましい。
【００３２】
また、本発明におけるさらに他の好ましい組合せは、成分（ａ）：重量平均分子量が５，０００〜１，０００，０００である、酸無水物単量体単位を含む重合体と、〔成分（ｂ）：亜硫酸塩及び／又は重亜硫酸塩と、成分（ｃ）：保水剤〕と、〔成分（ｄ）：光触媒と、成分（ｅ）：無機多孔質体及び／又は無機層状物〕と、成分（ｆ）：水とを含有することが望ましい。
【００３３】
この組合せのとき、成分（ａ）の配合量は、成分（ａ）、成分（ｂ）、成分（ｃ）、成分（ｄ）、成分（ｅ）及び成分（ｆ）の合計量１００重量部に対して、好ましくは０．０５〜５重量部、より好ましくは０．５〜１重量部であることが望ましい。酸無水物単量体単位を含む重合体の割合が過大になると粘度が増加してしまう。このため、消臭剤をスプレーにより塗布することが困難になってしまう。
【００３４】
また、成分（ｂ）の配合量は、成分（ａ）、成分（ｂ）、成分（ｃ）、成分（ｄ）、成分（ｅ）及び成分（ｆ）の合計量１００重量部に対して、好ましくは０．５〜５重量部、より好ましくは１〜３重量部であることが望ましい。亜硫酸塩及び／又は重亜硫酸塩の割合が過多であると、アルデヒド消臭の性能が劣ってしまう。また、亜硫酸塩及び／又は重亜硫酸塩の割合が過少であってもアルデヒド消臭の性能が劣るおそれがある。
【００３５】
また、成分（ｃ）の配合量は、成分（ａ）、成分（ｂ）、成分（ｃ）、成分（ｄ）、成分（ｅ）及び成分（ｆ）の合計量１００重量部に対して、好ましくは０．５〜５重量部、より好ましくは０．７〜３重量部であることが望ましい。
【００３６】
また、成分（ｄ）の配合量は、成分（ａ）、成分（ｂ）、成分（ｃ）、成分（ｄ）、成分（ｅ）及び成分（ｆ）の合計量１００重量部に対して、好ましくは０．０５〜５重量部、より好ましくは０．５〜３重量部であることが望ましい。
【００３７】
また、成分（ｅ）の配合量は、成分（ａ）、成分（ｂ）、成分（ｃ）、成分（ｄ）、成分（ｅ）及び成分（ｆ）の合計量１００重量部に対して、好ましくは０．００１〜５重量部、より好ましくは０．００５〜１重量部であることが望ましい。
【００３８】
また、成分（ｆ）の配合量は、成分（ａ）、成分（ｂ）、成分（ｃ）、成分（ｄ）、成分（ｅ）及び成分（ｆ）の合計量１００重量部に対して、好ましくは７５〜９８．８９９重量部、より好ましくは８９〜９７．２９５重量部であることが望ましい。
【００３９】
また、本発明によれば、繊維に、上述の消臭剤を含有させ、乾燥してなる繊維製品を提供できる。
【００４０】
また、繊維製品にバインダーなしで、光触媒と複数の悪臭除去用消臭剤を担持できる。そして、通常、アルデヒド類消臭に使用されるアミン化合物を使用せず、ほぼ完全に水溶性消臭剤成分としている。また、酸化亜鉛が特異的に本配合において、蛍光灯下で光触媒性能を示している。
【００４１】
また、本発明では、沈殿物を低減できる。このため、繊維製品に消臭剤を含有させる加工工程において、沈殿物の発生が少ない。この結果、再攪拌等が不要となる。従って、作業効率を向上できる。
【００４２】
例えば、好適には、無水マレイン酸化合物０．１重量部（重量平均分子量（Ｍｗ）が５，０００〜１，０００，０００のものを好適に使用できる）と、亜硫酸ナトリウム０．１５重量部と、酸化亜鉛０．１２重量部と、その他の成分として、例えば、ハイドロタルサイト、グリセリンとを含有するように調製する。この結果、アルデヒド類とアンモニアとに対して、バランス良く消臭性能を発揮できる。さらに、光触媒として酸化亜鉛を加えることで、後述するように、メチルメルカプタンや硫化水素等の他の悪臭にも広範囲に性能を発揮する消臭剤を開発できた。
【００４３】
また、本発明に係る消臭剤は、水溶性で、かつバインダーを使用しなくても繊維に固着し易い性質を有している。
【実施例】
【００４４】
次に、実施例により本発明を具体的に説明する。なお、この実施例によりこの発明が限定されるものではない。
【００４５】
まず、実施例に係る消臭剤ｓａ１が含有する消臭成分ＳＡ〜ＳＥについて説明する。
【００４６】
（消臭成分ＳＡ）
重量平均分子量６，０００のスチレンと無水マレイン酸との共重合体（ＳＭＡ１０００）１５重量部を７０℃に加温した水８５重量部に攪拌しながら投入して、消臭成分ＳＡを調製した。
【００４７】
（消臭成分ＳＢ）
亜硫酸ナトリウム（和光純薬社製）１５重量部を水８５重量部に溶かして、消臭成分ＳＢを調製した。
【００４８】
（消臭成分ＳＣ）
グリセリンを０．９重量部（固形成分）用いて、消臭成分ＳＣを調製した。
【００４９】
（光触媒ＬＳＱ）
また、超微粒子酸化亜鉛（和光純薬社製）４０重量部を、分散剤（商品名ウルトラキサンタン  Ｖ−７Ｔ）１重量部を加えた水に投入して、全量が１００重量部となるようにホモジナイザーで強攪拌しながら、光触媒分散液を調製した。光触媒ＬＳＱは酸化亜鉛分散液である。
【００５０】
（消臭成分ＳＤ）
ハイドロタルサイトを０．０８重量部（固形成分）用いて、消臭成分ＳＤを調製した。    
【００５１】
上述の消臭成分ＳＡ、消臭成分ＳＢ、消臭成分ＳＣ、光触媒ＬＳＱ及び消臭成分ＳＤ、並びに水を以下の表１〜表２に掲げる配合量（重量部）により混合し、実施例に係る消臭剤ｓａ１、及び比較例に係る消臭剤ｓｂ１〜ｓｂ２を調製した。
【００５２】
（悪臭ガスの消臭率評価試料作成）
次に、悪臭ガスの消臭率を評価するために、以下の手順で試料を作成した。まず、市販のタイルカーペット（住江織物製  ＬＦ５０２）を１０ｃｍ×２０ｃｍにカットしたものに、各表に掲げる配合の消臭剤ｓａ１（実施例）、消臭剤ｓｂ１及びｓｂ２（比較例）を各々１．０ｇずつスプレーする。そして、スプレーされた試料を、乾燥機を用いて１３０℃、１０分乾燥する。これにより、試料を調製する。
【００５３】
この際、タイルカーペットバッキング材の吸着の影響を除くため、表面以外をアルミテープでシールした。特に、配合試料液に沈降ができないかよく観察した。
【００５４】
（悪臭ガスの消臭率評価方法）
また、悪臭ガスの消臭率の測定方法について説明する。上述の方法で調製した試料を３リットルのテドラー（登録商標）バッグ（フッ化ビニル製サンプリングバッグ）に入れた後、ヒートシールして、密閉する。次に、テドラー（登録商標）バックを真空ポンプで減圧した後、所定濃度の悪臭ガスを２リットル注入する。悪臭ガスを注入してから２０時間後の悪臭濃度を検知管、ガスクロマトグラフィ（（株）島津製作所製  ＦＩＤ検出器）、マルチガスモニタ（ＩＮＮＯＶＡ社製）で測定する。ここで、アセトアルデヒドはマルチガスモニタ、トリメチルアミンは検知管（ガステック社製Ｎｏ．１８０）、メチルメルカプタンはガスクロマトグラフィ（ＧＣ）でそれぞれ測定を行なった。
【００５５】
そして、次式（１）により消臭率（％）を算出する。
｛（［Ｇ］０−［Ｇ］）／［Ｇ］０｝×１００    ・・・（１）
ただし、
［Ｇ］０：注入時の悪臭ガス濃度
［Ｇ］：２０時間後の悪臭ガス濃度
消臭率は、初期濃度に対する悪臭の減少率を示している。消臭率（単位：％）の数値が大きいほど消臭効果が大きいことを意味している。
【００５６】
また、光触媒を加えたときの性能評価方法について説明する。まず、テドラー（登録商標）バッグ内に試料を挿入後、封入する。そして、予め所定濃度に調整した悪臭ガス２リットルを注入し、２０時間蛍光灯下で照射した。蛍光灯の照度は６０００Ｌｘ（ルクス）である。この条件での、紫外線強度は３０μｗ/ｃｍ２である。
【００５７】
悪臭としては、アセトアルデヒド、ホルムアルデヒド、アンモニア、メチルメルカプタン、硫化水素を用いる。表１は、光を未照射な状態における例を掲げている。また、光未照射の状態で、さらに各成分の配合比を変えた例を表２に掲げる。
【００５８】
【表１】
2008061846.tif 000002
【００５９】
【表２】
2008061846.tif 000003
【００６０】
表１、表２から明らかなように、実施例に係る消臭剤ｓａ１は、各種の悪臭に対して、バランス良く消臭性能を発揮することがわかる。これに対して、比較例に係る消臭剤ｓｂ１及びｓｂ２では、アルデヒド類に対して特に消臭性能が低い。このように、本発明の配合では、光未照射でも各種消臭にバランス良く消臭性能を示している。
【００６１】
また、繊維に、上述した消臭剤を含有させ、乾燥する繊維製品を得ることができる。これにより、消臭性能を有する繊維製品が得られる。例えば、カーペット、じゅうたん、ゴザ、トイレ用マット、風呂用マット、玄関用マット、布団、ベッド、ソファー、車用シート、靴下、ストッキング、タイツ、靴の中敷、靴、手袋、帽子、布オムツ、使い捨てオムツ、その他繊維製品、壁紙、床材、壁材、屋根材等に付着又は含浸させて使用することができる。また、本発明に係る消臭剤は、室内用消臭剤、トイレ用消臭剤、喫煙所用消臭剤、車内用消臭剤、冷蔵庫用消臭剤、等としても使用することもできる。
【産業上の利用可能性】
【００６２】
以上のように、本発明に係る消臭剤は、一液で様々な種類の悪臭に対して消臭機能を発揮する場合に有用である。